(57)【特許請求の範囲】
【請求項１】
ディジタル的に出力電圧を変化させるボリューム調整回路において、上記ボリューム調整回路は、
反転入力端子と、基準電圧の電圧源に接続された非反転入力端子と、上記出力電圧を発生する出力端子とを有する第１のオペアンプと、
上記出力端子と上記反転入力端子との間に接続され、離散的な複数の抵抗値を有するボリューム回路と、
入力電圧の電圧源と上記反転入力端子との間に接続され、上記ボリューム回路を流れる電流の大きさを変化させるＲ−２Ｒラダー回路と、
上記ボリューム回路及び上記Ｒ−２Ｒラダー回路を制御する制御回路とを備え、
上記制御回路は、上記ボリューム回路の抵抗値を第１の抵抗値から第２の抵抗値に変更するとき、上記第１の抵抗値に対応する出力電圧と上記第２の抵抗値に対応する出力電圧との間の差をさらに細分化したステップサイズで上記出力電圧を変化させるように、上記Ｒ−２Ｒラダー回路を用いて上記ボリューム回路を流れる電流の大きさを変化させることを特徴とするボリューム調整回路。
【請求項２】
上記制御回路は、上記第１の抵抗値が上記第２の抵抗値よりも高い場合、上記Ｒ−２Ｒラダー回路を用いて上記ボリューム回路を流れる電流を次第に減少させ、上記出力電圧が上記第２の抵抗値に対応する出力電圧に達したとき、上記Ｒ−２Ｒラダー回路を用いて上記ボリューム回路を流れる電流の大きさを元の大きさに戻し、それと同時に、上記ボリューム回路の抵抗値を上記第１の抵抗値から上記第２の抵抗値に変更することを特徴とする請求項１記載のボリューム調整回路。
【請求項３】
上記制御回路は、上記第１の抵抗値が上記第２の抵抗値よりも低い場合、上記ボリューム回路の抵抗値を上記第１の抵抗値から上記第２の抵抗値に変更し、それと同時に、上記出力電圧が上記第１の抵抗値に対応する出力電圧になるように上記Ｒ−２Ｒラダー回路を用いて上記ボリューム回路を流れる電流を減少させ、その後、上記出力電圧が上記第２の抵抗値に対応する出力電圧に達するまで、上記Ｒ−２Ｒラダー回路を用いて上記ボリューム回路を流れる電流を次第に増大させることを特徴とする請求項１記載のボリューム調整回路。
【請求項４】
上記Ｒ−２Ｒラダー回路は、
直列接続された複数の抵抗を含む抵抗鎖を備え、上記抵抗鎖は、第３の抵抗値をそれぞれ有する複数の第１の抵抗と、上記反転入力端子に最も近接して設けられ、上記第３の抵抗値の２倍の第４の抵抗値を有する１つの第２の抵抗とを含み、
上記Ｒ−２Ｒラダー回路は、
上記第４の抵抗値をそれぞれ有し、上記抵抗鎖からそれぞれ分岐した複数の第３の抵抗と、
上記分岐した複数の第３の抵抗を、上記反転入力端子と上記基準電圧の電圧源とのいずれかにそれぞれ接続する複数の第１のスイッチとを備えたことを特徴とする請求項１〜３のうちのいずれか１つに記載のボリューム調整回路。
【請求項５】
上記複数の第１のスイッチに接続される上記基準電圧の電圧源は、上記基準電圧をバッファする第２のオペアンプを備えることを特徴とする請求項４記載のボリューム調整回路。
【請求項６】
上記制御回路は、上記複数の第１のスイッチのいずれも上記基準電圧の電圧源に接続されていないとき、上記第２のオペアンプをオフにすることを特徴とする請求項５記載のボリューム調整回路。
【請求項７】
上記複数の第１のスイッチのそれぞれは、上記反転入力端子及び上記基準電圧の電圧源のいずれにも接続されない状態をさらに有し、
上記Ｒ−２Ｒラダー回路は、上記抵抗鎖と上記反転入力端子との間に第２のスイッチをさらに備え、
上記制御回路は、ミュートする場合、上記ボリューム回路の抵抗値をその最小値に変更し、上記複数の第１のスイッチのそれぞれを上記反転入力端子及び上記基準電圧の電圧源のいずれにも接続されない状態に切り換え、上記第２のスイッチをオフにすることを特徴とする請求項４〜６のうちのいずれか１つに記載のボリューム調整回路。
【発明の詳細な説明】
【技術分野】
【０００１】
本発明は、ディジタル的に出力電圧を変化させるボリューム調整回路に関する。
【背景技術】
【０００２】
ヘッドフォンアンプやスピーカーアンプは、ボリュームを調整する機能を備えている。例えば、特許文献１に開示されたボリュームを備えた音声信号処理装置などが知られている。
【０００３】
図２は、従来技術に係るボリューム調整回路の構成を示すブロック図である。オペアンプ１の反転入力端子は、抵抗Ｒ０を介して入力電圧ＶＩＮの電圧源に接続され、オペアンプ１の非反転入力端子は、基準電圧ＶＲＥＦの電圧源に接続される。オペアンプ１の出力端子と反転入力端子との間には、ディジタルの（すなわち抵抗値を離散的に変化させる）ボリューム回路２が負帰還で接続される。ボリューム回路２は、互いに異なる抵抗値を有しかつ並列接続された複数の抵抗Ｒ１〜Ｒｍを備え、抵抗Ｒ１〜Ｒｍにそれぞれ接続されたスイッチＳＷａ１〜ＳＷａｍのうちのいずれか１つをオンにすることにより、例えば１ｄＢステップボリューム（例えば、スイッチＳＷａ１がオンのときは０ｄＢ、スイッチＳＷａ２がオンのときは−１ｄＢ、…、スイッチＳＷａｎ―１がオンのときは−３９ｄＢ、スイッチＳＷａｎがオンのときは−４０ｄＢ、など）として動作する。図２のボリューム調整回路は、所望のボリューム設定に応じてＳＷａ１〜ＳＷａｍのオン／オフを切り換えてボリューム回路２の抵抗値（以下、ＲＶＯＬと表す。）を変化させ、これにより出力電圧ＶＯＵＴを変化させる。
【発明の概要】
【発明が解決しようとする課題】
【０００４】
図２のようなディジタルのボリューム調整回路は、信号を出力している際にボリューム回路２の抵抗値ＲＶＯＬを変更すると、この変更により出力電圧ＶＯＵＴの変動が生じてジッパーノイズが現れる。出力している信号の振幅が大きいほど、ボリューム回路２の抵抗値ＲＶＯＬを変更する前後の電圧差が大きくなり、ジッパーノイズはより顕著となる。
【０００５】
ジッパーノイズを回避するためには、ボリューム回路２の抵抗値ＲＶＯＬのステップサイズを小さくすることが必要となる。そのためには、異なる抵抗値ＲＶＯＬ毎に追加の抵抗及びスイッチが必要となり、ダイサイズが増大する。従って、ジッパーノイズの抑制とダイサイズの増大との間にトレードオフが生じる。また、スイッチの数を増加させることにより、リップル除去率の劣化等の問題が発生する場合もある。
【０００６】
本発明の目的は、以上の問題点を解決し、ディジタル的に出力電圧を変化させるボリューム調整回路であって、ダイサイズの大幅な増大をまねくことなく、ジッパーノイズの発生を抑制することができるボリューム調整回路を提供することにある。
【課題を解決するための手段】
【０００７】
本発明の態様に係るボリューム調整回路によれば、
ディジタル的に出力電圧を変化させるボリューム調整回路において、上記ボリューム調整回路は、
反転入力端子と、基準電圧の電圧源に接続された非反転入力端子と、上記出力電圧を発生する出力端子とを有する第１のオペアンプと、
上記出力端子と上記反転入力端子との間に接続され、離散的な複数の抵抗値を有するボリューム回路と、
入力電圧の電圧源と上記反転入力端子との間に接続され、上記ボリューム回路を流れる電流の大きさを変化させるＲ−２Ｒラダー回路と、
上記ボリューム回路及び上記Ｒ−２Ｒラダー回路を制御する制御回路とを備え、
上記制御回路は、上記ボリューム回路の抵抗値を第１の抵抗値から第２の抵抗値に変更するとき、上記第１の抵抗値に対応する出力電圧と上記第２の抵抗値に対応する出力電圧との間の差をさらに細分化したステップサイズで上記出力電圧を変化させるように、上記Ｒ−２Ｒラダー回路を用いて上記ボリューム回路を流れる電流の大きさを変化させることを特徴とする。
【０００８】
上記ボリューム調整回路において、上記制御回路は、上記第１の抵抗値が上記第２の抵抗値よりも高い場合、上記Ｒ−２Ｒラダー回路を用いて上記ボリューム回路を流れる電流を次第に減少させ、上記出力電圧が上記第２の抵抗値に対応する出力電圧に達したとき、上記Ｒ−２Ｒラダー回路を用いて上記ボリューム回路を流れる電流の大きさを元の大きさに戻し、それと同時に、上記ボリューム回路の抵抗値を上記第１の抵抗値から上記第２の抵抗値に変更することを特徴とする。
【０００９】
上記ボリューム調整回路において、上記制御回路は、上記第１の抵抗値が上記第２の抵抗値よりも低い場合、上記ボリューム回路の抵抗値を上記第１の抵抗値から上記第２の抵抗値に変更し、それと同時に、上記出力電圧が上記第１の抵抗値に対応する出力電圧になるように上記Ｒ−２Ｒラダー回路を用いて上記ボリューム回路を流れる電流を減少させ、その後、上記出力電圧が上記第２の抵抗値に対応する出力電圧に達するまで、上記Ｒ−２Ｒラダー回路を用いて上記ボリューム回路を流れる電流を次第に増大させることを特徴とする。
【００１０】
上記ボリューム調整回路において、
上記Ｒ−２Ｒラダー回路は、
直列接続された複数の抵抗を含む抵抗鎖を備え、上記抵抗鎖は、第３の抵抗値をそれぞれ有する複数の第１の抵抗と、上記反転入力端子に最も近接して設けられ、上記第３の抵抗値の２倍の第４の抵抗値を有する１つの第２の抵抗とを含み、
上記Ｒ−２Ｒラダー回路は、
上記第４の抵抗値をそれぞれ有し、上記抵抗鎖からそれぞれ分岐した複数の第３の抵抗と、
上記分岐した複数の第３の抵抗を、上記反転入力端子と上記基準電圧の電圧源とのいずれかにそれぞれ接続する複数の第１のスイッチとを備えたことを特徴とする。
【００１１】
上記ボリューム調整回路において、上記複数の第１のスイッチに接続される上記基準電圧の電圧源は、上記基準電圧をバッファする第２のオペアンプを備えることを特徴とする。
【００１２】
上記ボリューム調整回路において、上記制御回路は、上記複数の第１のスイッチのいずれも上記基準電圧の電圧源に接続されていないとき、上記第２のオペアンプをオフにすることを特徴とする。
【００１３】
上記ボリューム調整回路において、
上記複数の第１のスイッチのそれぞれは、上記反転入力端子及び上記基準電圧の電圧源のいずれにも接続されない状態をさらに有し、
上記Ｒ−２Ｒラダー回路は、上記抵抗鎖と上記反転入力端子との間に第２のスイッチをさらに備え、
上記制御回路は、ミュートする場合、上記ボリューム回路の抵抗値をその最小値に変更し、上記複数の第１のスイッチのそれぞれを上記反転入力端子及び上記基準電圧の電圧源のいずれにも接続されない状態に切り換え、上記第２のスイッチをオフにすることを特徴とする。
【発明の効果】
【００１４】
本発明によれば、ディジタル的に出力電圧を変化させるボリューム調整回路であって、ダイサイズの大幅な増大をまねくことなく、ジッパーノイズの発生を抑制することができるボリューム調整回路を提供することができる。
【図面の簡単な説明】
【００１５】
【図１】本発明の実施形態に係るボリューム調整回路の構成を示すブロック図である。
【図２】従来技術に係るボリューム調整回路の構成を示すブロック図である。
【発明を実施するための形態】
【００１６】
図１は、本発明の実施形態に係るボリューム調整回路の構成を示すブロック図である。
本実施形態のボリューム調整回路は、特に、図２のボリューム調整回路の抵抗Ｒ０に代えてＲ−２Ｒラダー回路３を備えたことを特徴とする。
【００１７】
ボリューム調整回路は、図２の場合と同様のオペアンプ１及びボリューム回路２を備える。ボリューム調整回路は、さらに、オペアンプ１の反転入力端子と入力電圧ＶＩＮの電圧源との間に接続されたＲ−２Ｒラダー回路３と、Ｒ−２Ｒラダー回路３に供給する基準電圧ＶＲＥＦをバッファする電圧バッファ回路４と、ボリューム回路２、Ｒ−２Ｒラダー回路３、及び電圧バッファ回路４の動作を制御する制御回路６とを備える。電圧バッファ回路４は例えばオペアンプ５を備える。ボリューム調整回路の出力電圧ＶＯＵＴは、実質的に、図２の場合と同様に所望のボリューム設定に応じてボリューム回路２のＳＷａ１〜ＳＷａｍのオン／オフを切り換えてボリューム回路２の抵抗値ＲＶＯＬを変化させることにより変化する。本実施形態のボリューム調整回路では、ボリューム回路２の抵抗値ＲＶＯＬを変更する際に、変更前の抵抗値に対応する出力電圧と変更後の抵抗値に対応する出力電圧との間の差をさらに細分化したステップサイズで出力電圧ＶＯＵＴを変化させるように、Ｒ−２Ｒラダー回路３を用いて、ボリューム回路２を流れる電流の大きさを変化させる。
【００１８】
Ｒ−２Ｒラダー回路３は、Ｄ／Ａコンバータとして公知のＲ−２Ｒラダー回路であり、所定抵抗値Ｒを有するｎ−１個の抵抗と、その２倍の抵抗値２Ｒを有するｎ＋１個の抵抗と、ｎ個のスイッチＳＷｂ１〜ＳＷｂｎとが、梯子型に接続されている。Ｒ−２Ｒラダー回路３において、抵抗値Ｒを有するｎ−１個の抵抗と抵抗値２Ｒを有する１個の抵抗とを直列接続した抵抗鎖が、入力電圧ＶＩＮの電圧源とオペアンプ１の反転入力端子との間に設けられ、この抵抗鎖のうちで抵抗値２Ｒを有する抵抗が、オペアンプ１の反転入力端子に最も近接して設けられる。好ましくは、この抵抗鎖のうちで抵抗値２Ｒを有する抵抗とオペアンプ１の反転入力端子との間にスイッチＳＷ０がさらに設けられる。この抵抗鎖から、抵抗値２Ｒを有するｎ個の抵抗が分岐し、分岐した抵抗はそれぞれ、スイッチＳＷｂ１〜ＳＷｂｎによって、オペアンプ１の反転入力端子及び電圧バッファ回路４のいずれかに接続される。スイッチＳＷｂ１〜ＳＷｂｎは、好ましくは、オペアンプ１の反転入力端子及び電圧バッファ回路４のいずれにも接続されない状態をさらに有する。ｎ個のスイッチＳＷｂ１〜ＳＷｂｎのそれぞれがオペアンプ１の反転入力端子及び電圧バッファ回路４のいずれかに接続されることにより、オペアンプ１の反転入力端子側に流れる電流の大きさは１／２ｎずつのリニアステップで次第に変化する。
【００１９】
以下、本実施形態のボリューム調整回路の動作例について説明する。説明の簡単化のために、入力信号の振幅は動作中にわたって一定であるとする。ボリューム回路２の抵抗値ＲＶＯＬを所定値に設定して維持しているとき、Ｒ−２Ｒラダー回路３のスイッチＳＷ０がオンにされ、スイッチＳＷｂ１〜ＳＷｂｎのすべてがオペアンプ１の反転入力端子に接続されている。スイッチＳＷｂ１〜ＳＷｂｎのいずれも電圧バッファ回路４に接続されていないので、電圧バッファ回路４のオペアンプ５をオフにし、消費電流を削減することができる。ボリューム調整回路に入力電圧ＶＩＮ及び基準電圧ＶＲＥＦが印加され、Ｒ−２Ｒラダー回路３のスイッチＳＷ０がオンにされ、スイッチＳＷｂ１〜ＳＷｂｎのすべてがオペアンプ１の反転入力端子に接続されているとき、オペアンプ１の反転入力端子側に流れる電流Ｉ１は、次式で表される。
【００２０】
［数１］
Ｉ１＝（ＶＩＮ−ＶＲＥＦ）／Ｒ
【００２１】
この電流Ｉ１が抵抗値ＲＶＯＬを有するボリューム回路２に流れることにより得られる出力電圧ＶＯＵＴは、次式で表される。
【００２２】
［数２］
ＶＯＵＴ＝ＶＲＥＦ−（ＲＶＯＬ×Ｉ１）
【００２３】
次に、ボリューム回路２の抵抗値ＲＶＯＬを減少させる場合について説明する。所定の抵抗値ＲＶＯＬ１を有する抵抗Ｒ１から、抵抗値ＲＶＯＬ１の次に大きな抵抗値ＲＶＯＬ２を有する抵抗Ｒ２に切り換える場合を想定する。この場合、出力電圧ＶＯＵＴは、最終的には、抵抗値ＲＶＯＬ１に対応する出力電圧ＶＯＵＴ１から、抵抗値ＲＶＯＬ２に対応する出力電圧ＶＯＵＴ２に変化する。
【００２４】
［数３］
ＶＯＵＴ１＝ＶＲＥＦ−（ＲＶＯＬ１×Ｉ１）
［数４］
ＶＯＵＴ２＝ＶＲＥＦ−（ＲＶＯＬ２×Ｉ１）
【００２５】
本実施形態のボリューム調整回路は、ボリューム回路２の抵抗値をＲＶＯＬ１からＲＶＯＬ２に変更する前に予め出力電圧ＶＯＵＴ１を出力電圧ＶＯＵＴ２に変化させるように、Ｒ−２Ｒラダー回路３を用いて、オペアンプ１の反転入力端子側に流れる電流Ｉ１を次式の電流Ｉ２に変化させる。
【００２６】
［数５］
Ｉ２＝Ｉ１×ＲＶＯＬ２／ＲＶＯＬ１
【００２７】
以下、このような電流の変化を実現するためのＲ−２Ｒラダー回路３の動作について説明する。ボリューム回路２の抵抗値ＲＶＯＬを変更する前に、まず、電圧バッファ回路４のオペアンプ５をオンにして、次いで、電流Ｉ１をＩ１／２ｎずつのリニアステップで次第に減少させるように、Ｒ−２Ｒラダー回路３の各スイッチＳＷｂ１〜ＳＷｂｎの接続状態の組み合わせを逐次に切り換える。スイッチＳＷｂ１〜ＳＷｂｎにはそれぞれ、電流Ｉ１／２ｎ、Ｉ１／２ｎ−１、…、Ｉ１／２３、Ｉ１／２２、Ｉ１／２が流れる。従って、スイッチＳＷｂｉ（１≦ｉ≦ｎ）がオペアンプ１の反転入力端子に接続されている状態をａ（ｉ）＝０とし、スイッチＳＷｂｉが電圧バッファ回路４に接続されている状態をａ（ｉ）＝１とするとき、オペアンプ１の反転入力端子側に流れる電流Ｉは、次式で表される。
【００２８】
［数６］
Ｉ＝Ｉ１−（Ｉ１／２×ａ（ｎ）＋Ｉ１／２２×ａ（ｎ−１）＋Ｉ１／２３×ａ（ｎ−２）＋…＋Ｉ１／２ｎ×ａ（１））
【００２９】
各スイッチＳＷｂ１〜ＳＷｂｎの接続状態の組み合わせを切り換える時間は、オーディオ帯域の上限の周波数２０ｋＨｚを有する信号の１周期の時間よりも十分に短くする必要がある。
【００３０】
このように、各スイッチＳＷｂ１〜ＳＷｂｎの接続状態の組み合わせを逐次に切り換えることにより、オペアンプ１の反転入力端子側に流れる電流をＩ１からＩ２にＩ１／２ｎずつのリニアステップで次第に減少させる。オペアンプ１の反転入力端子側に流れる電流が減少するにつれて、出力電圧ＶＯＵＴは、ＶＯＵＴ１とＶＯＵＴ２との間の差をさらに細分化したステップサイズで変化し、電流がＩ２に達したとき、出力電圧ＶＯＵＴはＶＯＵＴ２になる。
【００３１】
［数７］
ＶＯＵＴ２＝ＶＲＥＦ−（ＲＶＯＬ１×Ｉ２）
【００３２】
出力電圧ＶＯＵＴがＶＯＵＴ２になったとき、Ｒ−２Ｒラダー回路３のスイッチＳＷｂ１〜ＳＷｂｎのすべてをオペアンプ１の反転入力端子に接続する（これにより、オペアンプ１の反転入力端子側に流れる電流はＩ２からＩ１になる）と同時に、ボリューム回路２の抵抗値をＲＶＯＬ１からＲＶＯＬ２に変更する。この切り換えは、数７及び数４より次式のように表される。
【００３３】
［数８］
ＶＯＵＴ２＝ＶＲＥＦ−（ＲＶＯＬ１×Ｉ２）＝ＶＲＥＦ−（ＲＶＯＬ２×Ｉ１）
【００３４】
次に、抵抗値ＲＶＯＬ２を有する抵抗Ｒ２から抵抗値ＲＶＯＬ２の次に大きな抵抗値を有する抵抗に切り換えるために同様の動作を繰り返し、以後、ボリューム回路２の抵抗値ＲＶＯＬが所望のボリューム設定に応じた値に達するまで繰り返す。
【００３５】
一方、ボリューム回路２の抵抗値ＲＶＯＬを増大させる場合は、これと逆の動作を行う。抵抗値ＲＶＯＬ２を有する抵抗Ｒ２から、抵抗値ＲＶＯＬ２の次に小さな抵抗値ＲＶＯＬ１を有する抵抗Ｒ１に切り換える場合を想定する。まず、電圧バッファ回路４のオペアンプ５をオンにして、次いで、オペアンプ１の反転入力端子側に流れる電流がＩ１からＩ２になるように各スイッチＳＷｂ１〜ＳＷｂｎの接続状態の組み合わせを切り換えると同時に、ボリューム回路２の抵抗値をＲＶＯＬ２からＲＶＯＬ１に変更する（数５及び数８を参照）。その後、各スイッチＳＷｂ１〜ＳＷｂｎの接続状態の組み合わせを逐次に切り換えることにより、オペアンプ１の反転入力端子側に流れる電流をＩ２からＩ１にＩ１／２ｎずつのリニアステップで次第に増大させる。オペアンプ１の反転入力端子側に流れる電流が増大するにつれて、出力電圧ＶＯＵＴは、ＶＯＵＴ２とＶＯＵＴ１との間の差をさらに細分化したステップサイズで変化し、電流がＩ１に達したとき、出力電圧ＶＯＵＴはＶＯＵＴ１になる（数３を参照）。次に、抵抗値ＲＶＯＬ１を有する抵抗Ｒ１から抵抗値ＲＶＯＬ１の次に小さな抵抗値を有する抵抗に切り換えるために同様の動作を繰り返し、以後、ボリューム回路２の抵抗値ＲＶＯＬが所望のボリューム設定に応じた値に達するまで繰り返す。
【００３６】
出力信号をミュートするとき、本実施形態のボリューム調整回路は以下のように動作する。まず、上述したボリューム回路２の抵抗値ＲＶＯＬを減少させる動作を、抵抗値ＲＶＯＬがその最小値になるまで繰り返す。ボリューム回路２の抵抗値ＲＶＯＬが最小値になったとき、スイッチＳＷｂ１〜ＳＷｂｎを、オペアンプ１の反転入力端子及び電圧バッファ回路４のいずれにも接続されない状態に切り換え、さらにスイッチＳＷ０をオフにする。このとき、ボリューム調整回路は完全なミュート状態になる。また、このとき、スイッチＳＷｂ１〜ＳＷｂｎのいずれも電圧バッファ回路４に接続されていないので、電圧バッファ回路４のオペアンプ５をオフにし、消費電流を削減することができる。ミュートを解除するときは、これと逆の動作を行う。
【００３７】
制御回路６は、上述の動作を実現するように、ボリューム回路２のスイッチＳＷａ１〜ＳＷａｍの接続状態を制御し、Ｒ−２Ｒラダー回路３のスイッチＳＷ０、ＳＷｂ１〜ＳＷｂｎの接続状態を制御し、電圧バッファ回路４のオペアンプ５のオン／オフを制御する。
【００３８】
スイッチＳＷｂ１〜ＳＷｂｎの個数ｎ（すなわちＲ−２Ｒラダー回路３の段数）が多いほど、オペアンプ１の反転入力端子側に流れる電流及び出力電圧ＶＯＵＴを細かいステップサイズで変化させることができる。Ｒ−２Ｒラダー回路３の段数を増やすことにより、ボリューム調整回路の出力電圧ＶＯＵＴを、従来技術に係るボリューム調整回路に比較して非常に細かいステップサイズで変化させることができ、ジッパーノイズの発生を抑えることができる。Ｒ−２Ｒラダー回路３の抵抗及びスイッチはＲ−２Ｒラダー回路３の段数に応じて必要となるが、その個数は、図２のボリューム回路２の抵抗及びスイッチを増加させる場合と比較すると非常に少なくてすみ、ダイサイズの増大を抑制できる。この効果により、ダイサイズの増大を最小限に抑え、ジッパーノイズを発生させないボリューム調整回路を実現することができる。
【産業上の利用可能性】
【００３９】
本発明によれば、ディジタル的に出力電圧を変化させるボリューム調整回路であって、ダイサイズの増大を最小限に抑え、ジッパーノイズの発生しないボリューム調整回路を提供することができる。
【符号の説明】
【００４０】
１…オペアンプ、
２…ボリューム回路、
３…Ｒ−２Ｒラダー回路、
４…電圧バッファ回路、
５…オペアンプ、
６…制御回路、
Ｒ０、Ｒ１〜Ｒｍ、Ｒ、２Ｒ…抵抗、
ＳＷａ１〜ＳＷａｍ、ＳＷ０、ＳＷｂ１〜ＳＷｂｎ…スイッチ。
【先行技術文献】
【特許文献】
【００４１】
【特許文献１】特開２００８−１０９５６０号公報。
【図１】
0005621601.tif 000002
【図２】
0005621601.tif 000003